(57)【要約】【課題】  高温・高湿度環境の中で使用でき、交換容易なランプセットを提供する。【解決手段】  ピン１を有したランプ２と、ピン１と接続部３で接続されたリード線４と、ピン１と接続部３を収納して充填剤にて保持する放熱性の良いランプ支持部材５とを備え、ランプ支持部材５に照明器具側への取付部１２を一体的に設けた。これにより、ランプ１のピン１とリード線４との接続部３をランプ支持部材５と充填剤によって密閉でき、保護することができる。そのため、リード線４の接続部３に結露などによる水滴の浸入を防ぐことができる。また、ランプ支持部材５の容量を大きくすることによって、ランプ２で発生した熱を受ける支持部材５の熱容量を増加させることができると同時に、支持部材全体の放熱面積を増やすことができるのでランプ２からの熱を効率良く放熱することができ、ランプバルブ６の変形などを防ぐことができる。【選択図】  図１
2005310394.tif 000002
【特許請求の範囲】
【請求項１】
ピンを有したランプと、前記ピンと接続部で接続されたリード線と、前記ピンと接続部を収納して充填剤にて保持する放熱性の良いランプ支持部材とを備え、前記ランプ支持部材に照明器具側への取付部を一体的に設けたことを特徴とするランプセット。
【請求項２】
請求項１記載のランプセットのランプの中心軸が水平方向より下向き角度になるように、前記ランプセットの取付部を反射板に取り付けたことを特徴とする照明器具。
【請求項３】
請求項２記載の照明器具をケース内に設け、前記照明器具の反射板に強制対流の空気が当るようなファンを前記ケースに設けたことを特徴とする照明器具付きケース。
【発明の詳細な説明】
【技術分野】
【０００１】
この発明は、コンビニエンスストアの食品用保温庫のような加湿空間等で使用されるランプセット、照明器具および照明器具付きケースに関するものである。
【背景技術】
【０００２】
従来、図９に示すような白熱電球例えば、ハロゲン電球などにおいてランプ口金部５０とランプバルブ５１とを放熱性の良い材料（例えば、セラミック材）のランプ支持部５２によって固定し、ランプ口金部５０をソケット５３で支持する構成がある。本構成の場合、ランプ口金部５０とソケット５３の充電部とは接触圧力によって通電を取っている。本構成を高湿度環境で用いると、結露などで生じた微細な水滴が毛細管現象でランプ口金部５０とソケット充電部の間に入りこんでいく。
【０００３】
また、図１０に示すような反射鏡５５と一体になった電球の場合では、反射鏡５５の部分で電球全体を支持し、リード線５６によってコネクタ接続を行うため、高湿度環境ではコネクタによって充電部の防水を取ることができるが、ランプ交換時には反射鏡５５がランプバルブ５１と一体になっているために、反射鏡５５も同時に廃却することになる。
【０００４】
また、円筒ケースの中にランプを先端の照光部分が露出するようにして収納し、ケースとランプ及び導線の間隙に耐熱性、耐水性の充填材を緻密に充填して構成するランプユニットがある（特許文献１参照）。
【特許文献１】特開平９−１２２１４４号公報
【発明の開示】
【発明が解決しようとする課題】
【０００５】
図９に示す従来例では、高湿度環境で電気的な接触を接触圧力によって取る場合において、接触面の間に浸透してくる水分による錆が接触面に発生し、接触抵抗が増加し、不通電の状態になったり、熱が発生したりする問題がある。また、高温環境では、ランプのガラスバルブの温度が上昇し、ガラスの変形などが発生するという問題もある。
【０００６】
図１０に示す従来例では、高湿度環境での問題はないが、ランプ交換時に反射鏡も同時に廃却することになり、無駄が多く費用がかかる。また、特許文献１では、ケース内において耐熱性、耐水性が高い構成であるが、導線をケースから突出した金属管に挿通して電極ピンとしている点で異なり、電極ピンとその充電部の防水性は考慮されていない。
【０００７】
したがって、この発明の目的は、高温・高湿度環境の中で使用でき、交換容易なランプセット、照明器具、照明器具付きケースを提供することである。
【課題を解決するための手段】
【０００８】
上記課題を解決するためにこの発明の請求項１記載のランプセットは、ピンを有したランプと、前記ピンと接続部で接続されたリード線と、前記ピンと接続部を収納して充填剤にて保持する放熱性の良いランプ支持部材とを備え、前記ランプ支持部材に照明器具側への取付部を一体的に設けた。
【０００９】
請求項２記載の照明器具は、請求項１記載のランプセットのランプの中心軸が水平方向より下向き角度になるように、前記ランプセットの取付部を反射板に取り付けた。
【００１０】
請求項３記載の照明器具付きケースは、請求項２記載の照明器具をケース内に設け、前記照明器具の反射板に強制対流の空気が当るようなファンを前記ケースに設けた。
【発明の効果】
【００１１】
この発明の請求項１記載のランプセットによれば、ピンを有したランプと、ピンと接続部で接続されたリード線と、ピンと接続部を収納して充填剤にて保持する放熱性の良いランプ支持部材とを備え、ランプ支持部材に照明器具側への取付部を一体的に設けたので、ランプのピンとリード線との接続部をランプ支持部材と充填剤によって密閉でき、保護することができる。そのため、リード線の接続部に結露などによる水滴の浸入を防ぐことができる。また、接続部をチューブなどで保護することなく、絶縁性をもたせることができるため、部品点数、組立工数を減らすことができる。
【００１２】
また、ランプ支持部材の容量を大きくすることによって、ランプで発生した熱を受ける支持部材の熱容量を増加させることができると同時に、支持部材全体の放熱面積を増やすことができるのでランプからの熱を効率良く放熱することができ、ランプバルブの変形などを防ぐことができる。
【００１３】
また、ランプ支持部材の一部の取付部を用いて、照明器具側に固定してランプ全体を保持することによって、ランプを長時間使用後、不点あるいは劣化した場合、ランプセットのみを交換することができる。
【００１４】
この発明の請求項２記載の照明器具によれば、請求項１記載のランプセットのランプの中心軸が水平方向より下向き角度になるように、ランプセットの取付部を反射板に取り付けたので、ランプバルブ内にあるガスの対流がランプ支持部材に近い方へ流れるようにすることができる。これにより、ランプ内部のガスの対流によって伝わる熱をランプ支持部材に通して反射板へ伝熱することにより、ランプバルブの温度を下げることができる。
【００１５】
この発明の請求項３記載の照明器具付きケースによれば、請求項２記載の照明器具をケース内に設け、反射板に強制対流の空気が当るようなファンをケースに設けたので、反射板の温度を下げて、ランプセットから伝導されてくる熱を効率良く、放熱することができる。
【発明を実施するための最良の形態】
【００１６】
この発明の第１の実施の形態を図１および図２に基づいて説明する。図１は本発明の第１の実施形態のランプセットの斜視図、図２はその分解斜視図である。
【００１７】
図１および図２に示すように、このランプセットは、ピン１を有したランプ２と、ピン１と接続部３で接続されたリード線４と、ピン１と接続部３を収納して充填剤にて保持する放熱性の良いランプ支持部材５とを備えている。
【００１８】
ランプ２は、ランプバルブ６内にピン１に接続されたフィラメント７を有する。ピン１はランプ２の底部に設けたランプ首部８より外側へ突出させている。
【００１９】
ランプ支持部材５は、熱伝導率の高い材料（セラミック等）を用いて、ランプ２のピン１とリード線４との溶接などによる接続部３を覆うように形成されている。この場合、ランプ支持部材５の一端には、ランプ２を固定するための凹状のくぼみ部９があり、そのくぼみ部９からくぼみの開口とは反対方向へ互いに独立した複数の貫通穴１０がつながっている。ランプ支持部材５に対してランプ２のランプ首部８がくぼみ部９に嵌まり込み、リード線４は貫通穴１０を通して外部へ出ていく。ランプ首部８とランプ支持部材５のくぼみ部９の間は高熱伝達率の充填剤（セラミック系の接着剤）１１によって隙間なく埋められ、ランプ２はランプ支持部材５に固定される（図４参照）。また、ランプ１のピン２とリード線４の接続部３は貫通穴１０の中に位置するため、側面はランプ支持部材５によって保護され、両端うち一端のランプ首部８側は充填剤１１によって封止される。必要に応じて他端から結露などの浸入が想定される場合は同様の充填剤で封止することで、ランプ１のピン２とリード線４の接続部３を密閉することができる。
【００２０】
また、ランプ支持部材５の容積をランプ２に対して同等以上にし、その側面にランプセット全体を固定するための取付部１２を一体的に設け、照明器具の反射板などに取付部１２の一面が接触するように固定する。この場合、ランプ支持部材５の側面の中間部において両側に一対の取付部１２を突設している。取付部１２には、照明器具側へ固定するための固着具挿通穴１３が設けてある。
【００２１】
以上のようにこの実施形態によれば、ランプ１のピン２とリード線４との接続部３をランプ支持部材５と充填剤１１によって密閉でき、保護することができる。そのため、リード線４の接続部３に結露などによる水滴の浸入を防ぐことができる。また、接続部３をチューブなどで保護することなく、絶縁性をもたせることができるため、部品点数、組立工数を減らすことができる。
【００２２】
また、ランプ支持部材５の容量を大きくすることによって、ランプ２で発生した熱を受ける支持部材５の熱容量を増加させることができると同時に、支持部材全体の放熱面積を増やすことができるのでランプ２からの熱を効率良く放熱することができ、ランプバルブ６の変形などを防ぐことができる。また、ランプ支持部材５の取付部１２を用いて、照明器具側に固定してランプ全体を保持することによって、ランプ２を長時間使用後、不点あるいは劣化した場合、ランプセットのみを交換することができる。
【００２３】
この発明の第２の実施の形態を図３〜図５に基づいて説明する。図３は本発明の第２の実施形態のランプセットの斜視図、図４はその取付状態の断面図である。第１の実施形態と同一部材には同一符号を付して説明を省略する。
【００２４】
図３および図４に示すように、ランプ支持部材５の側面に設けてある取付部１２の一つの面をランプ支持部材５の上面に連続するように構成し、その連続した面を照明器具の反射板１６などの面に押し付けて固定する。この場合、反射板１６に設けたランプ挿入穴１６ａにランプ２を挿入した状態で、取付部１２をその固着具挿通穴１３を用いてランプ挿入穴１６ａの周縁部にボルト・ナット等の固着具１７で固定している。これにより、反射板１６などの放熱性の良い部材に接触する面積を大きくできる。
【００２５】
接触面積を大きくするために、ランプ２の根元近くまで反射板１６を延長することによって、ランプ根元部にきた光Ａを反射でき、熱をランプ支持部材５に伝導する熱量を増加させると同時に、反射効率を高めることができる。
【００２６】
本実施形態においては、反射板１６をランプ２の根元近傍まで延長することができるために、配光において反射効率を上げることができ、特に中心照度を改善することができる。
【００２７】
なお、図５に示すように、第２の実施形態の変形例として、取付部１２の一つの面がランプ支持部材５の底面と連続するように構成してもよい。この場合、ランプ支持部材５の底面において、上記連続した面を反射板１６などに押し付けて固定することで放熱効率を高めることができる。
【００２８】
この発明の第３の実施の形態を図６に基づいて説明する。図６は本発明の第３の実施形態の照明器具の断面図である。第１〜２の実施形態と同一部材には同一符号を付して説明を省略する。
【００２９】
この照明器具は、第１または第２の実施形態のランプセットを用いて構成され、図６に示すように、ランプセット２０のランプ２の中心軸が水平方向より下向き角度になるように、ランプセット２０の取付部１２を反射板１６に取り付けたものである。この場合、反射板１６はランプ支持部材５の収納部１８と一体に形成され、器具本体１９に固定されている。反射板１６のランプ挿入穴１６ａを設けた面を傾斜させることで、その面に取り付けられるランプ支持部材５が傾斜しランプセット２０が水平方向より下向きになる。このように、ランプセット２０を水平方向より下向きに取り付けることによって、ランプバルブ６内にあるガスの対流がランプ支持部材５に近い方へ流れるようにすることができる。ランプ２の角度を鉛直方向に近づけていくと、器具全体の鉛直方向の幅が増加してしまうために、見栄えを考慮するならば、下向き角度４５°以内にすることが望ましいが、ガラスバルブ６の温度を下げることを優先する場合は、下向き角度を鉛直方向に近づけることによって温度を下げることができる。
【００３０】
本実施形態においては、ランプ２内部のガスの対流によって伝わる熱をランプ支持部材５に通して反射板１６へ伝熱することにより、ランプバルブ６の温度を下げることができる。また、下向き角度を抑えることによって、器具全体の見栄えの劣化を防ぐことができる。なお、図６は第２の実施形態のランプセットを示しているが、他のランプセットの場合も同様である。
【００３１】
この発明の第４の実施の形態を図７および図８に基づいて説明する。図７は本発明の第４の実施形態の照明器具付きケースの斜視図、図８はその断面図である。第１〜３の実施形態と同一部材には同一符号を付して説明を省略する。
【００３２】
この照明器具付きケースは、第３の実施形態の照明器具を用いて構成され、図７および図８に示すように、照明器具２１をケース２２内に設け、反射板１６に強制対流Ｂの空気が当るようなファン２３をケース２２に設けたものである。ケース２２は、コンビニエンスストアの食品用保温庫等である。すなわち、ランプセット２０を有する照明器具２１を内部に設置するケース２２において、ケース２２内の温度を一定にするために強制対流Ｂを発生させるファン２３を設けている。そして、ケース２２内に発生している強制対流Ｂの空気の流れに当るように照明器具の反射板１６を設置し、その反射板１６に対してランプセット２０を固定することによって、ランプ２から発生した熱を反射板１６から対流空気へ放熱させることができる。
【００３３】
本実施形態においては、ランプセット２０が置かれるケース２２に設置されているファン２３からの強制対流Ｂを反射板１６に当てることによって、反射板１６の温度を下げて、ランプセット２０から伝導されてくる熱を効率良く、放熱することができる。
【図面の簡単な説明】
【００３４】
【図１】本発明の第１の実施形態のランプセットの斜視図である。
【図２】図１の分解斜視図である。
【図３】本発明の第２の実施形態のランプセットの斜視図である。
【図４】第２の実施形態のランプセットの取付状態の断面図である。
【図５】本発明の第２の実施形態の変形例のランプセットの斜視図である。
【図６】本発明の第３の実施形態の照明器具の断面図である。
【図７】本発明の第４の実施形態の照明器具付きケースの斜視図である。
【図８】図７の断面図である。
【図９】従来例の電球の分解斜視図である。
【図１０】別の従来例の電球の斜視図である。
【符号の説明】
【００３５】
１  ピン
２  ランプ
３  接合部
４  リード線
５  ランプ支持部材
１１  充填剤
１２  取付部
２０  ランプユニット
２１  照明器具
２２  ケース
２３  ファン
【図１】
2005310394.tif 000003
【図２】
2005310394.tif 000004
【図３】
2005310394.tif 000005
【図４】
2005310394.tif 000006
【図５】
2005310394.tif 000007
【図６】
2005310394.tif 000008
【図７】
2005310394.tif 000009
【図８】
2005310394.tif 000010
【図９】
2005310394.tif 000011
【図１０】
2005310394.tif 000012